(57)【要約】【課題】  巾木の下に位置している床暖房パネル本体も簡単に取り換えることができる床暖房パネル構造を提供することにある。【解決手段】  部分的にヒーター（８）が埋め込まれている床暖房パネル本体（１）の裏面側に配線部分（２）を設けるとともに、同床暖房パネル本体（１）の裏面側でこの配線部分（２）近傍および同配線部分（２）近傍から上記ヒーター（８）が埋め込まれていない方向へ一定間隔で上記床暖房パネル本体（１）の短辺方向に切溝（３）を形成して、同床暖房パネル本体（１）を交換する際には、この切溝（３）にて同床暖房パネル本体（１）の表面側から切断して、上記配線部分（２）における同床暖房パネル本体（１）を切り離して取り外すようになした。【選択図】  図１
2005147513.tif 000002
【特許請求の範囲】
【請求項１】
部分的にヒーターが埋め込まれている床暖房パネル本体の裏面側に配線部分を設けるとともに、同床暖房パネル本体の裏面側でこの配線部分近傍および同配線部分近傍から上記ヒーターが埋め込まれていない方向へ一定間隔で上記床暖房パネル本体の短辺方向に切溝を形成して、同床暖房パネル本体を交換する際には、この切溝にて同床暖房パネル本体の表面側から切断して、上記配線部分における同床暖房パネル本体を切り離して取り外すようになしたことを特徴とする床暖房パネル構造。
【請求項２】
上記配線部分近傍よりも上記ヒーターに一層近い側にヒーター近傍切溝を設けたことを特徴とする請求項１記載の床暖房パネル構造。
【請求項３】
上記一定間隔が、一尺ピッチであることを特徴とする請求項１または請求項２記載の床暖房パネル構造。
【発明の詳細な説明】
【技術分野】
【０００１】
本発明は、床暖房パネル構造に関するものであり、具体的には、住宅などの建物内で床部に暖房を施すのに有用な床暖房パネル構造に関するものである。
【背景技術】
【０００２】
従来の床暖房パネル構造としては、例えば、図３に示すごとき部分的にヒーター（８）が埋め込まれている床暖房パネル本体（１）があって、この床暖房パネル本体（１）が、図４に示すごとく、床下地（１２）の上に配設されて、同床暖房パネル本体（１）の裏面側中央部に配線溝（１１）を設けて、この配線溝（１１）の中央部にコネクタ（６）が設けられていたものであり、この床暖房パネル本体（１）を複数枚隣接させて雄実（４）を介して図５に示すごとき連結並設させたときに、上記コネクタ（６）どうしが送りコード（７）にて繋がれて電気的に接続させていたものが知られていた。
【特許文献１】特開２００２−３９５５９号公報
【発明の開示】
【発明が解決しようとする課題】
【０００３】
しかしながら、このような床暖房パネル構造においては、コネクタ（６）どうしが送りコード（７）にて電気的に接続されていたために、床暖房パネル本体（１）に対して部分的に埋め込まれたヒーター（８）にて床暖房を充分に行うことができるものの、建物の壁（１０）の下方に形成されている巾木（９）の下に位置している床暖房パネル本体（１）を交換する際には、同巾木（９）を取り外す必要があって、同巾木（９）の傷つきや破損を起こしたり、あるいは、壁（１０）の壁紙の傷つきや破損を起こしたりする恐れがあった。
【０００４】
なお、床暖房パネル本体（１）を取り換えることなく、単に現場での修復を行うことができるものとしては、上記特許文献１に挙げられた特開２００２−３９５５９号公報のようなものが知られていたが、床暖房パネル本体（１）を取り換える場合であっても、巾木（９）の傷つきや破損を起こしたりすることなく、簡単に取り換えられるものが望まれていたものであった。
【０００５】
本発明は、上述の事実に鑑みてなされたものであって、その目的とするところは、巾木の下に位置している床暖房パネル本体も簡単に取り換えることができる床暖房パネル構造を提供することにある。
【課題を解決するための手段】
【０００６】
上記課題を解決するために、本発明においてはつぎのような技術的手段を講じている。すなわち、本発明の請求項１に係る床暖房パネル構造は、部分的にヒーター（８）が埋め込まれている床暖房パネル本体（１）の裏面側に配線部分（２）を設けるとともに、同床暖房パネル本体（１）の裏面側でこの配線部分（２）近傍および同配線部分（２）近傍から上記ヒーター（８）が埋め込まれていない方向へ一定間隔で上記床暖房パネル本体（１）の短辺方向に切溝（３）を形成して、同床暖房パネル本体（１）を交換する際には、この切溝（３）にて同床暖房パネル本体（１）の表面側から切断して、上記配線部分（２）における同床暖房パネル本体（１）を切り離して取り外すようになしたことを特徴としている。
【０００７】
また、本発明の請求項２に係る床暖房パネル構造は、上記配線部分（２）近傍よりも上記ヒーター（８）に一層近い側にヒーター近傍切溝（５）を設けたことを特徴としている。
【０００８】
さらに、本発明の請求項３に係る床暖房パネル構造は、上記一定間隔が、一尺ピッチであることを特徴としている。
【発明の効果】
【０００９】
本発明の床暖房パネル構造によると、床暖房パネル本体（１）を交換する際には、同床暖房パネル本体（１）の裏面側に位置している切溝（３）にて同床暖房パネル本体（１）の表面側から切断して、配線部分（２）における床暖房パネル本体（１）を切り離して取り外すだけで、巾木（９）の下に位置している床暖房パネル本体（１）も簡単に取り換えることができるものであり、切溝（３）があるために、カットする厚みが薄いので、カッターなどで容易に切断することができるものである。
【００１０】
そして、この切溝（３）が、配線部分（２）近傍および同配線部分（２）近傍からヒーター（８）が埋め込まれていない方向へ床暖房パネル本体（１）の短辺方向に一定間隔で設けられているために、床暖房パネル本体（１）の一端部側が隠れていても、反対側の一端部から同床暖房パネル本体（１）の寸法が追いやすいものとなり、結果として、巾木（９）の下に位置している床暖房パネル本体（１）を簡単に取り換えることができるものとなる。
【００１１】
このようなことから、本発明は、巾木（９）の下に位置している床暖房パネル本体（１）も簡単に取り換えることができるものである。
【発明を実施するための最良の形態】
【００１２】
以下、この発明を実施するための最良の形態について、図面を参照しながら詳細に説明する。
【００１３】
図１は、本発明の一実施形態に係る床暖房パネル構造を示した平面図である。図２は、本発明の床暖房パネル構造に用いられる一実施形態に係る床暖房パネル本体を示した断面図である。
【００１４】
本発明の床暖房パネル構造は、図１および図２に示すごとく、部分的にヒーター（８）が埋め込まれている床暖房パネル本体（１）の裏面側に配線部分（２）を設けるとともに、同床暖房パネル本体（１）の裏面側でこの配線部分（２）近傍および同配線部分（２）近傍から上記ヒーター（８）が埋め込まれていない方向へ一定間隔で上記床暖房パネル本体（１）の短辺方向に切溝（３）を形成して、同床暖房パネル本体（１）を交換する際には、この切溝（３）にて同床暖房パネル本体（１）の表面側から切断して、上記配線部分（２）における同床暖房パネル本体（１）を切り離して取り外すようになしているものである。
【００１５】
上記床暖房パネル本体（１）は、表面を化粧する表面材などと一体型である、いわゆる、木質一体型のものなど、様々なものを採用することができるものである。例えば、この床暖房パネル本体（１）としては、周囲に合板枠を設けており、基材にロックウールなどの断熱材を取り付けているようなものなどが挙げられるものである。この床暖房パネル本体（１）としては、例えば、大引の上に敷設された根太どうしの間に施工されるものであり、敷設される枚数や同床暖房パネル本体（１）のサイズや形状などは一切制限されるものではなく、必要に応じて、複数枚並設されているものである。
【００１６】
上記床暖房パネル本体（１）の端部には、雄実が形成されているものである。そして、同床暖房パネル本体（１）としては、この雄実を介して複数枚隣接させて連結並設させるものである。
【００１７】
上記配線部分（２）は、図１に示すごとく、上記床暖房パネル本体（１）の裏面側に設けられているものである。この配線部分（２）の中央部分には、コネクタ（６）が設けられているものであり、上述したようにこの床暖房パネル本体（１）を複数枚隣接させて雄実を介して連結並設させたときに、同コネクタ（６）どうしが送りコード（７）にて繋がれて電気的に接続されているものである。
【００１８】
そして、上記床暖房パネル本体（１）は、部分的にヒーター（８）が埋め込まれているものである。上記コネクタ（６）どうしが送りコード（７）にて電気的に接続されているために、このようなヒーター（８）にて床暖房を充分に行うことができるようになっているものである。そして、上記床暖房パネル本体（１）の表面部分下部には、必要に応じて、アルミ箔のような均熱板などを設けられていてもかまわないものである。この均熱板としては、このヒーター（８）からの熱が均等に床暖房パネル本体（１）の表面に伝わるようにすることができる点で好ましいものである。
【００１９】
なお、上記床暖房パネル本体（１）が、敷設施工されている以外の床スペースには、床暖房を行う必要がない床スペースであるために、例えば、必要に応じて通常の床パネルが敷設施工されているものである。また、上記床暖房パネル本体（１）にて床暖房がなされている際に、同床暖房パネル本体（１）の表面温度が適温に保たれるように温度センサーやサーモスタットや過昇温防止装置などが、必要に応じて、同床暖房パネル本体（１）内に取り付けられて備えていてもかまわないものである。
【００２０】
そして、上記床暖房パネル本体（１）が、敷設施工されている以外の床スペースとしても、同床暖房パネル本体（１）の表面と同一の化粧をするような表面材を貼った通常の床パネルであることが同床暖房パネル本体（１）を敷設した部屋などの床全体の意匠の点から好ましいものである。
【００２１】
上記切溝（３）は、図１および図２に示すごとく、上記床暖房パネル本体（１）の裏面側で形成されているものである。そして、この切溝（３）は、上記床暖房パネル本体（１）の短辺方向に形成されているものである。また、この切溝（３）は、上記配線部分（２）近傍および同配線部分（２）近傍から上記ヒーター（８）が埋め込まれていない方向へ一定間隔で複数本設けられているものである。
【００２２】
そして、本発明においては、上記床暖房パネル本体（１）を交換する際には、上記切溝（３）にて同床暖房パネル本体（１）の表面側から図１に示すごときカッター（１３）などにより切断して、上記配線部分（２）における同床暖房パネル本体（１）を切り離して取り外すようになしているものである。このようにして、予め切溝（３）があるために、カットする厚みが薄いので、カッター（１３）などで容易に切断することができるものである。そして、この切溝（３）にて床暖房パネル本体（１）の表面側からカッター（１３）などにより切断することで、切断としては容易なものであるので、となりの床暖房パネル本体（１）や床暖房機能を有していない単なる床材を傷つけることが減り、最終的には傷つけることをなくすことに繋げられるものである。
【００２３】
本発明は、このような構成をとることによって、床暖房パネル本体（１）を交換する際には、同床暖房パネル本体（１）の裏面側に位置している切溝（３）にて同床暖房パネル本体（１）の表面側から切断して、配線部分（２）における床暖房パネル本体（１）を切り離して取り外すだけで、巾木（９）の下に位置している床暖房パネル本体（１）も簡単に取り換えることができるものであり、切溝（３）があるために、カットする厚みが薄いので、カッターなどで容易に切断することができるものである。
【００２４】
そして、この切溝（３）が、配線部分（２）近傍および同配線部分（２）近傍からヒーター（８）が埋め込まれていない方向へ床暖房パネル本体（１）の短辺方向に一定間隔で設けられているために、床暖房パネル本体（１）の一端部側が隠れていても、反対側の一端部から同床暖房パネル本体（１）の寸法が追いやすいものとなり、結果として、巾木（９）の下に位置している床暖房パネル本体（１）を簡単に取り換えることができるものとなる。
【００２５】
このようなことから、本発明は、巾木（９）の下に位置している床暖房パネル本体（１）も簡単に取り換えることができるものである。
【００２６】
また、図１に示すごとく、上記配線部分（２）近傍よりも上記ヒーター（８）に一層近い側にヒーター近傍切溝（５）を設けているものであると、ヒーター近傍切溝（５）にて配線部分（２）近傍の不要な床暖房パネル本体（１）を切り取ることができて、非常に好ましいものであり、結果として、床暖房パネル本体（１）の全体にヒーター（８）が入っている場合でも、巾木（９）を外すことなく、簡単に床暖房パネル本体（１）を交換することができるものである。
【００２７】
さらに、図１に示すごとく、上記一定間隔が、一尺ピッチであると、床暖房パネル本体（１）の一端部側が隠れていても、反対側の一端部から同床暖房パネル本体（１）の寸法が非常に追いやすいものとなり、結果として、巾木（９）の下に位置している床暖房パネル本体（１）をより一層簡単に取り換えることができるものとなる。そして、ヒーター（８）の埋め込み側の端部だけでは、床暖房パネル本体（１）を交換する際には、同床暖房パネル本体（１）の継ぎ目が通ってしまうが、１尺ピッチであるために、同床暖房パネル本体（１）を交換しても継ぎ目が通らないものとなる。
【図面の簡単な説明】
【００２８】
【図１】本発明の一実施形態に係る床暖房パネル構造を示した平面図である。
【図２】本発明の床暖房パネル構造に用いられる一実施形態に係る床暖房パネル本体を示した断面図である。
【図３】一従来例に係る床暖房パネル構造に用いられる床暖房パネル本体と送りコードとを示した平面図である。
【図４】一従来例に係る床暖房パネル構造を示した要部の断面図である。
【図５】一従来例に係る床暖房パネル構造を示した平面図である。
【符号の説明】
【００２９】
１    床暖房パネル本体
２    配線部分
３    切溝
５    ヒーター近傍切溝
８    ヒーター
【図１】
2005147513.tif 000003
【図２】
2005147513.tif 000004
【図３】
2005147513.tif 000005
【図４】
2005147513.tif 000006
【図５】
2005147513.tif 000007